(57)【要約】【課題】  両面印刷用のシートは反転され、再度、画像形成部を通過して排出されるため、排出するまでに多くの時間を要していた。【解決手段】  排出部と、記録材の表裏を反転させて画像形成部に搬送するための反転経路とに介在し、記録材を反転経路又は前記排出部に搬送するように記録材の搬送方向を切り替えるための反転部で、反転経路での記録材の搬送駆動を行う反転搬送部に係合することなく記録材が残留している場合（Ｓ１）、排出部の方向へ記録材を排出する（Ｓ２，Ｓ５）。また反転搬送部に係合して記録材が残留している場合に記録材の両面への画像形成が完了する場合と同じ経路で記録材を排出する（Ｓ３，Ｓ４，Ｓ６〜Ｓ８）。【選択図】  図９
2007093930.tif 000002
【特許請求の範囲】
【請求項１】
記録材の両面への画像形成が可能な画像形成装置であって、
記録材の表裏を反転させて画像形成部に搬送するための反転経路と、
前記反転経路での前記記録材の搬送駆動を行う反転搬送部と、
排出部と前記反転経路に介在し、記録材を前記反転経路、又は前記排出部に搬送するように前記記録材の搬送方向を切り替えるための反転部と、
前記反転部における前記記録材の残留状態に応じて、前記記録材の排出搬送方向を設定する制御手段と、
を有することを特徴とする画像形成装置。
【請求項２】
前記制御手段は、前記反転部で前記反転搬送部に係合することなく記録材が残留している場合に前記排出部の方向へ記録材を排出し、前記反転搬送部に係合して記録材が残留している場合には前記記録材の両面への画像形成が完了する場合と同じ経路で前記記録材を排出するように制御することを特徴とする請求項１に記載の画像形成装置。
【請求項３】
前記反転部は、前記排出部側で前記記録材を搬送する第１搬送用ローラと、前記反転経路側で前記記録材を搬送する第２搬送用ローラとを有し、前記記録材が前記第１搬送用ローラにのみ係合している場合、前記制御手段は、前記第１搬送用ローラの回転により前記記録材を前記排出部に排出することを特徴とする請求項１または２に記載の画像形成装置。
【請求項４】
前記制御手段は、前記記録材が前記第１搬送用ローラと前記第２搬送用ローラの両方に係合している場合は、前記記録材の両面への画像形成が完了する場合と同じ経路で前記記録材を排出することを特徴とする請求項３に記載の画像形成装置。
【請求項５】
前記排出部から排出される記録材を別の排出部へバイパスする中間搬送部が装着可能であって、前記中間搬送部の有無を判断する判断手段を更に有し、前記制御手段は、前記判断手段が前記中間搬送部が有ると判断した場合、前記記録材の両面への画像形成が完了する場合と同じ経路で前記記録材を排出することを特徴とする請求項１乃至４のいずれか１項に記載の画像形成装置。
【請求項６】
前記記録材が両面への画像形成が可能な記録材であるか否かを判定する判定手段と、
前記制御手段は、前記判定手段により前記記録材が前記両面への画像形成が可能でない記録材であると判定されると、直ちに、或は先行する記録材の片面への画像形成が終了した時点で前記排出部の方向へ記録材を排出することを特徴とする請求項１に記載の画像形成装置。
【請求項７】
前記排出部から排出される記録材を別の排出部へバイパスする中間搬送部が装着可能であって、前記中間搬送部の有無を判断する判断手段と、前記記録材が両面への画像形成が可能な記録材であるか否かを判定する判定手段と、を更に有し、
前記制御手段は、前記判断手段が前記中間搬送部が有ると判断した場合、前記記録材の両面への画像形成が完了する場合と同じ経路で前記記録材を排出し、
前記判断手段が前記中間搬送部が無いと判断した場合、前記排出部の方向へ記録材を排出することを特徴とする請求項１に記載の画像形成装置。
【請求項８】
記録材の両面への画像形成が可能な画像形成装置の制御方法であって、
排出部と、記録材の表裏を反転させて画像形成部に搬送するための反転経路とに介在し、記録材を前記反転経路、又は前記排出部に搬送するように前記記録材の搬送方向を切り替えるための反転部における前記記録材の残留状態に応じて、前記記録材の搬送方向を設定し、設定した搬送方向に基づいて前記記録材を排出する排出工程を有することを特徴とする画像形成装置の制御方法。
【請求項９】
前記排出工程は、前記反転部において、前記反転経路での前記記録材の搬送駆動を行う反転搬送部に係合することなく記録材が残留している場合、前記排出部の方向へ記録材を排出する第１排出工程と、
前記反転搬送部に係合して記録材が残留している場合に前記記録材の両面への画像形成が完了する場合と同じ経路で前記記録材を排出する第２排出工程と、
を含むことを特徴とする請求項８に記載の画像形成装置の制御方法。
【請求項１０】
前記反転部は、前記排出部側で前記記録材を搬送する第１搬送用ローラと、前記反転経路側で前記記録材を搬送する第２搬送用ローラとを有し、前記記録材が前記第１搬送用ローラにのみ係合している場合、前記第１排出工程では、前記第１搬送用ローラの回転により前記記録材を前記排出部に排出することを特徴とする請求項９に記載の画像形成装置の制御方法。
【請求項１１】
前記記録材が前記第１搬送用ローラと前記第２搬送用ローラの両方に係合している場合は、前記記録材の両面への画像形成が完了する場合と同じ経路で前記記録材を排出することを特徴とする請求項１０に記載の画像形成装置の制御方法。
【請求項１２】
前記排出部から排出される記録材を別の排出部へバイパスする中間搬送部の有無を判断する判断工程を更に有し、前記判断工程で前記中間搬送部が有ると判断した場合、前記記録材の両面への画像形成が完了する場合と同じ経路で前記記録材を排出することを特徴とする請求項８乃至１１のいずれか１項に記載の画像形成装置の制御方法。
【請求項１３】
前記記録材が両面への画像形成が可能な記録材であるか否かを判定する判定工程と、
前記判定工程で前記記録材が前記両面への画像形成が可能でない記録材であると判定されると、直ちに、或は先行する記録材の片面への画像形成が終了した時点で前記排出部の方向へ記録材を排出する工程とを更に有することを特徴とする請求項８に記載の画像形成装置の制御方法。
【請求項１４】
前記記録材が両面への画像形成が可能な記録材であるか否かを判定する判定工程と、
前記排出部から排出される記録材を別の排出部へバイパスする中間搬送部の有無を判断する判断工程と、
前記判断工程で前記中間搬送部が有ると判断した場合、前記記録材の両面への画像形成が完了する場合と同じ経路で前記記録材を排出する工程と、
前記判断工程で前記中間搬送部が無いと判断した場合、前記排出部の方向へ記録材を排出する工程と、
を更に有することを特徴とする請求項８に記載の画像形成装置の制御方法。
【発明の詳細な説明】
【技術分野】
【０００１】
本発明は、記録データ応じて記録材に画像を形成する画像形成装置及びその制御方法に関するものである。
【背景技術】
【０００２】
複写機、レーザビームプリンタ等の画像形成装置は、給紙部から画像形成部に記録材（記録シート）を搬送して転写（間接方式）或いは直接方式にて画像形成を実行し、画像形成済みの記録材を排紙部に排出している。このような画像形成部としては、電子写真機構、静電記録機構、磁気記録機構、感熱記録機構、インクジェット機構、インパクト印刷機構等の種々の作像原理、プロセスのものが知られている。また記録材としては、転写材、感光紙（エレクトロファックス紙）、静電記録紙、感熱紙、印刷用紙、印刷用紙、フォーマット用紙、カード、はがき、封筒、ＯＨＰ用紙等が使用される。
【０００３】
このような画像形成装置には、シート反転装置が装着可能、或は実装されているものもある。シート反転装置は、画像形成部によって印刷された記録シートを反転させて再び画像形成部に搬送することにより、その記録シートの両面に印刷するための装置である。
【０００４】
特許文献１には、上述したようなシート反転装置が設けられた画像形成装置が開示されている。これによると片面印刷時、画像形成本体に装着されたカセットから給紙されたシートは、画像形成部に搬送され画像形成を行い、定着部で画像を定着された後に排紙部に排紙される。また両面印刷時には、１枚目のシートの片面に記録された画像の定着が終わった後、そのシートは反転部の正逆転ローラによって排紙部から排紙された経路と同じ経路に反転して搬送される。そして、そのシートは表裏逆転した状態で再び画像形成装置に搬送され、表裏逆転された画像形成されていない裏面に画像が形成される。こうして両面印刷されたシートは定着部で定着された後、排紙部に排紙される。また特許文献１には、シートの反転搬送路における残留シートを検出して、残留シートが存在していると判定した場合に、その残留しているシートを自動的に排出することが記載されている。
【特許文献１】特開平６−３１６１２５号公報
【発明の開示】
【発明が解決しようとする課題】
【０００５】
しかし、上記公報に開示されたシート反転装置では、例えば両面印刷中にジャムが発生した場合に、両面印刷予定のシートを自動排紙している。この際、シート反転装置で反転されて装置内に残留しているシートは、再度、画像形成装置を通過した後に排出されることが一般的に想定される。つまり両面印刷用のシートは反転され、再度、画像形成部を通過して排出されるため、排出するまでに多くの時間を要していた。
【０００６】
本発明の目的は上記従来技術の問題点を解決することにある。
【０００７】
本願発明の特徴は、記録材の両面への画像形成中に、残留している記録材の場所に応じて、その記録材の排出方法を変更することにより、装置内に残留している記録材の排出処理をより簡潔に、かつ迅速に行うことにある。
【課題を解決するための手段】
【０００８】
上記目的を達成するために本発明の一態様に係る画像形成装置は以下のような構成を備える。即ち、
記録材の両面への画像形成が可能な画像形成装置であって、
記録材の表裏を反転させて画像形成部に搬送するための反転経路と、
前記反転経路での前記記録材の搬送駆動を行う反転搬送部と、
排出部と前記反転経路に介在し、記録材を前記反転経路、又は前記排出部に搬送するように前記記録材の搬送方向を切り替えるための反転部と、
前記反転部における前記記録材の残留状態に応じて、前記記録材の排出搬送方向を設定する制御手段とを有することを特徴とする。
【０００９】
上記目的を達成するために本発明の一態様に係る画像形成装置の制御方法は以下のような工程を備える。即ち、
記録材の両面への画像形成が可能な画像形成装置の制御方法であって、
排出部と、記録材の表裏を反転させて画像形成部に搬送するための反転経路とに介在し、記録材を前記反転経路、又は前記排出部に搬送するように前記記録材の搬送方向を切り替えるための反転部における前記記録材の残留状態に応じて、前記記録材の搬送方向を設定し、設定した搬送方向に基づいて前記記録材を排出する排出工程を有することを特徴とする。
【発明の効果】
【００１０】
本発明によれば、装置内に残留している記録材の排出処理をより簡潔に、かつ迅速に行うことができる。
【発明を実施するための最良の形態】
【００１１】
以下、添付図面を参照して本発明の好適な実施の形態を詳しく説明する。尚、以下の実施の形態は特許請求の範囲に係る本発明を限定するものでなく、また本実施の形態で説明されている特徴の組み合わせの全てが本発明の解決手段に必須のものとは限らない。
【００１２】
図１は、本発明の実施の形態に係る画像形成装置の全体構成図である。本実施の形態では、画像形成装置として多色画像を形成するカラーレーザプリンタを例に説明する。
【００１３】
図１において、このプリンタは、４個の像担持体である感光体ドラム１（１ａ〜１ｄ）を有している。これら感光体ドラム１ａ〜１ｄのそれぞれの周囲には順に、帯電ユニット２（２ａ〜２ｄ）、露光ユニット３（３ａ〜３ｄ）、現像ユニット４（４ａ〜４ｄ）、転写部材５（５ａ〜５ｄ）そしてクリーニングユニット６（６ａ〜６ｄ）が配されている。帯電ユニット２ａ〜２ｄのそれぞれは帯電ローラにより、各対応する感光体ドラム１の表面を一様に帯電する。露光ユニット３ａ〜３ｄはそれぞれ、イエロー、マゼンタ、シアン、黒の画像情報に基づいてレーザビームを照射して、感光体ドラム１ａ〜１ｄのそれぞれに各色に対応する静電潜像を形成する。現像ユニット４ａ〜４ｄは、感光体ドラム１ａ〜１ｄそれぞれの静電潜像に各色に対応するトナーを付着させてトナー像として顕像化する。転写部材５ａ〜５ｄは、感光体ドラム１ａ〜１ｄのそれぞれのトナー像を記録材（以下、記録シート）上に転写させる。クリーニングユニット６ａ〜６ｄ転写後の感光体ドラム１ａ〜１ｄのそれぞれの表面に残留した転写後トナーを除去する。こうして各色に対応する画像形成部が構成されている。尚、ここで感光体ドラム１と帯電ユニット２、現像ユニット４、クリーニングユニット６は一体的にカートリッジ化され、プロセスカートリッジ７ａ〜７ｄを形成している。
【００１４】
給送部８から給送された記録シートは、搬送ベルト９ａで構成された搬送ユニット９によって画像形成部へ搬送され、各色のトナー像が順次転写されて多色画像が形成される。その後、定着ユニット１０で加熱定着されて排出ローラ対１１，１２によって排出部１３に排出されて積載される。搬送ユニット９を構成する記録シートの担持体としての転写搬送ベルト９ａは、駆動ローラ９ｂと従動コロ９ｃ，９ｄの３本のローラで張架支持され、全ての感光体ドラム１ａ〜１ｄに対向して配設されている。転写搬送ベルト９ａは、感光体ドラム１に対向する外周面にシートを静電吸着して感光体ドラム１に記録シートを接触させるべく駆動ローラ９ｂによって循環移動される。この駆動ローラ９ｂは、後述する搬送モータ１０１（図８）により回転駆動されている。これにより記録シートは転写搬送ベルト９ａにより転写位置まで搬送され、感光体ドラム１上のトナー像が転写される。また転写搬送ベルト９ａの最上流位置には、この搬送ベルト９ａと共にシ記録ートを挟持し、かつシートをベルト９ａに吸着させる吸着ローラ９ｅが配設されている。記録シートの搬送に際しては、吸着ローラ９ｅに電圧を印加することで、対向している設置された従動コロ９ｃとの間に電界を形成し、転写搬送ベルト９ａ及びシートの間に誘電分極を発生させて両者に静電吸着力を生じさせるようになっている。
【００１５】
給送部８は、給送カセット８ａ、マルチ給送トレイ８ｂ、マルチ給送部８ｃ及びレジストローラ８ｄを有している。給送カセット８ａは複数枚の記録シートを収納して装置本体内底部に装填される。画像形成時、記録シートは給送カセット８ａからカセットピックアップローラ８ｄ１によって一枚ずつ分離給送され、カセット搬送ローラ８ｄ２及びレジストローラ８ｄによって搬送ユニット９に搬送される。マルチ給送トレイ８ｂは、通常は装置本体正面に格納されているが、使用時に装置本体から回動して開き、複数枚のシートを積載する。画像形成する際には、記録シートはマルチピックアップローラ８ｃ１によって一枚ずつ分離給送され、マルチ搬送ローラ８ｃ２及びレジストローラ８ｄによって搬送ユニット９に搬送される。給送カセット８ａ、マルチ給送部８ｃにおけるシートの分離や搬送は、給送部８にある給送モータ（不図示）によりギア駆動列を介して行われる。
【００１６】
ここで像担持体である感光体ドラム１は、アルミニウム製シリンダの外周面に有機光導電体層（ＯＰＣ）を塗布して構成されている。この感光体ドラム１はその両端部がフランジによって回転自在に支持されており、一方の端部に駆動モータ（不図示）から駆動力を伝達することにより、図１において反時計回りに回転駆動される。
【００１７】
各帯電ユニット２は、ローラ状に形成された導電性のローラで、これを感光体ドラム１表面に当接させる。これと共に図示しない電源によって帯電バイアス電圧を印加することにより、感光体ドラム１の表面を一様に帯電させる。
【００１８】
露光ユニット３はポリゴンミラーを有し、このポリゴンミラーにはレーザダイオードから画像信号に対応する画像光が照射される。
【００１９】
現像ユニット４は、それぞれブラック、シアン、マゼンタ、イエローの各色のトナーを収納したトナー収納部４ａ１〜４ｄ１を有している。これらトナー収納部４ａ１〜４ｄ１に収容されたトナーは、感光体ドラム１の表面に隣接して回転するとともに、現像バイアス電源（不図示）により現像バイアス電圧が印加されて現像を行う。
【００２０】
また後述する転写搬送ベルト９ａの内側には、４個の感光体ドラム１ａ〜１ｄに対向して、転写搬送ベルト９ａに当接する転写部材５ａ〜５ｄがそれぞれ併設されている。これら転写部材５ａ〜５ｄは転写バイアス用電源（不図示）と接続されており、転写部材５ａ〜５ｄから正極性の電荷が転写搬送ベルト９ａを介して記録シートに印加される。この電界により感光体ドラム１に接触中の記録シートに、感光体ドラム１１〜１ｄのそれぞれの負極性の各色トナー像が順次転写され、多色画像が形成される。
【００２１】
定着ユニット１０は、定着ベルト１０ａと弾性加圧ローラ１０ｂとを有し、記録シート上に形成した画像に熱及び圧力を加えてトナー像を定着させる。弾性加圧ローラ１０ｂは、定着ベルト１０ａを挟み、ベルトガイド部材１０ｃと所定の圧接力をもって所定幅の定着ニップ部Ｎを形成している。この定着ニップ部Ｎが所定の温度に立ち上がって温調された状態で、画像形成部から搬送された未定着トナー画像が形成された記録シートが定着ニップ部Ｎの定着ベルト１０ａと弾性加圧ローラ１０ｂとの間に画像面を定着ベルト１０ａに対向して導入される。こうして定着ニップ部Ｎにおいて画像面が定着ベルト１０ａの外面に密着して定着ベルト１０ａと一緒に定着ニップ部Ｎを挟持搬送されていく。この定着ニップ部Ｎを、定着ベルト１０ａと一緒に記録シートが挟持搬送されていく過程で定着ベルト１０ａで加熱され、記録シート上の未定着トナー画像が加熱定着される。
【００２２】
図２は、シート反転部を装着した画像形成装置の全体構成図で，図１と共通する部分は同じ記号で示し，それらの説明を省略する。
【００２３】
図１と比較すると、図２では両面搬送路１５、斜送ローラ１６ａ，１６ｂ、Ｕターンローラ１７、フラッパ１８、シート反転部１９、反転ローラ対２０，２１、再搬送ローラ対２２，２３、そして搬送路２４が追加されている。以下、詳しく説明する。
【００２４】
図３及び図４は、このシート反転装置の詳細図である。
【００２５】
両面印刷の際には、定着ユニット１０でシートが定着された後、排出ローラ対１１，１２のすぐ下流に配置されたフラッパ１８がソレノイド等（不図示）により位置が変えられて記録シートをシート反転部１９に案内する。こうしてシート反転部１９に送られた記録シートは、反転ローラ対２０，２１により搬送される。そして、反転ローラ対２０，２１近傍の反転センサ１０７（図５または図８）によって記録シートの後端を検知する。即ち、記録シートの後端が確実にフラッパ１８より下流に搬送されたことを検知すると、ソレノイド等によって再びフラッパ１８を元の位置に戻す。こうして記録シートを再搬送ローラ対２２，２３に搬送するための搬送路２４を確保する（図４）。こうしてこれ以降は、再搬送ローラ対２２，２３の回転により記録シート１５は搬送路１５内を搬送される。これら再搬送ローラ対２２，２３は、図８の両面モータ１０２により回転駆動される。
【００２６】
このとき記録シートは片面、或は両面を外気に晒すことにより冷やされ画像形成装置本体の温度上昇を抑える。図４に示すように、フラッパ１８が両面搬送ローラ対２２，２３への搬送路２４を確実に確保した後、別の駆動源（図８の反転モータ１０３）を持つ反転ローラ対２０，２１が逆転駆動されて記録シートを両面搬送ローラ対２２，２３へ搬送する。そして両面搬送ローラ２２，２３の回転により記録シートが両面搬送路１５に搬送され、この画像形成装置本体の正面に取り付けられている斜送ローラ１６ａ，１６ｂ（図２）を通過してＵターンローラ１７まで搬送される。その後、Ｕターンローラ１７及びレジストローラ８ｄによって再び画像形成部まで搬送される。
【００２７】
図５は、シート搬送路の概略図で、前述の図面と共通する部分は同じ記号で示し、それらの説明を省略する。また図中の太い実線は片面の搬送路を示しており、破線は両面の搬送路１５を示している。また、５００は再給紙待機位置、５０１はシート反転部駆動停止位置、５０２はセンサ１０９によるシートの先後端検出位置であり、これらについては下記で詳細に説明する。
【００２８】
図６（Ａ）〜（Ｏ）は、ホストから送信されるプリント信号の順番を示す図である。ここでは、「（１枚目のシートの表に印刷）、（２枚目のシートの表に印刷）、（１枚目のシートの裏に印刷（）、（３枚目のシートの表に印刷）、（２枚目のシートの裏に印刷）、（３枚目のシートの裏に印刷（）」と指示されている。このプリント順はいわゆる交互給紙両面のときの両面プリントシーケンス（プリントするページの順番）を説明するものである。ここでは、画像形成の対象となる記録シートが普通紙であり、画像形成速度が通常の速度（普通紙の画像形成速度）である場合の両面プリントシーケンスについて、図５及び図６を参照しながら説明する。
【００２９】
図６（Ａ）では、給送カセット８ａからカセットピックアップローラ８ｄ１によって分離給送された１枚目の記録シート６００が、カセット搬送ローラ８ｄ２及びレジストローラ８ｄによって搬送ユニット９に搬送される。ここでは１枚目の記録シート６００の表に画像が印刷される。
【００３０】
次に図６（Ｂ）で、１枚目の記録シート６００の表が印刷されて定着ユニット１０で定着された後、排出ローラ対１１，１２のすぐ下流に配置されたフラッパ１８によりシート反転部１９に案内される。こうしてシート反転部１９に案内された記録シート６００は、反転ローラ対２０，２１により排紙方向に搬送される。そして２枚目の表に印刷される２枚目の記録シート６０１の給送カセット８ａからの給紙を開始する。ここでは、１枚目の表が印刷された記録シート６００の後端と２枚目の表が印刷される記録シート６０１の先端が重送せずに、かつ１枚目の記録シート６００の裏面が再給紙されるタイミングで、記録シート６０１の後端が５０２を通過するように制御される。
【００３１】
図６（Ｃ）では、反転ローラ対２０，２１近傍のセンサ１０７によって記録シート６００の後端を検知し、記録シートの後端が確実にフラッパ１８より下流に搬送された時に再びフラッパ１８を元の位置に戻す。ここでフラッパ１８より下流に搬送された時というのは、記録シートの後端が検知されたタイミングから所定時間経過した時点である。こうして再搬送ローラ対２２，２３への搬送路２４を確保した後、反転モータ１０３を回転駆動して反転ローラ対２０，２１を逆転させて、記録シート６００を両面搬送ローラ対２２，２３の方向に搬送する。そして両面搬送ローラ対２２，２３を回転駆動して両面搬送路１５に搬送する。
【００３２】
このとき反転ローラ対２０，２１、両面搬送ローラ対２２，２３、斜送ローラ１６ａ，１６ｂ、Ｕターンローラ１７によって与えられる記録シート６００の搬送速度は、シート反転装置に設けられた駆動源（モータ１０２，１０３）によって別の制御が可能である。このため、次に給紙される記録シート間の距離や両面搬送距離によって、その搬送速度を変化させることができる。図２の構成の場合、反転ローラ対２０，２１が逆転をするときに増速を行う。記録シートの搬送速度を増速させるのは、可能な限り記録シート間の間隔を短くするようにして単位時間あたりのプリント速度（スループット）を向上するためである。その後、１枚目の記録シート６００はＵターンローラ１７の手前（再給紙待機位置５００）で減速され、シート反転装置の搬送速度と画像形成装置の搬送速度を等しくする制御を行う（図６（Ｄ））。このとき、５００に記録シート６００が搬送されるまでに裏面のプリント信号がホストから送信されていない場合、又は、搬送停止を行わずに１枚目の記録シート６００の再給紙を行うと２枚目の記録シート６０１の後端との距離が所定の距離よりも短くなる場合が発生する。このような場合には、両面搬送路１５における記録シート６００の搬送を停止される。。
【００３３】
図６（Ｅ）（Ｆ）では、５００から画像形成装置本体の搬送速度で再給紙された１枚目の記録シート６００は、シート反転部の駆動停止位置５０１まで搬送されて駆動が停止される。そして５０１以降は、記録シート６００は給送部８の駆動のみで搬送される。このとき、シート反転部１９の斜送ローラ１６ａ，１６ｂは、ワンウェイクラッチによりシート反転部１９の駆動を停止しても画像形成装置本体の給紙部８の駆動により記録シートの搬送が可能な構成となっている。
【００３４】
図６（Ｇ）では、こうして両面が印刷された記録シート６００は機外へ排出される。また２枚目の記録シート６０１は、シート反転部１９により両面搬送ローラ対２２，２３へと搬送される。そして２枚目の記録シート６０１の後端と３枚目の記録シート６０２の先端が重送しないタイミングで、３枚目の記録シートを給送カセット８ａから給紙し、３枚目の記録シート６０２への印刷（３枚目表）を開始する。
【００３５】
図６（Ｈ）では、２枚目の記録シート６０１がＵターンローラ１７の手前（再給紙待機位置５００）で減速され、シート反転装置からの搬送速度と画像形成装置の搬送速度を等しくする制御を行う。このとき、５００までに裏面のプリント信号を受信していない場合、或は搬送停止を行わずに２枚目の記録シート６０１の再給紙を行うと３枚目の記録シート６０２の後端との距離が所定量よりも短くなる場合は記録シート６０１の搬送を停止する。これは１枚目の記録シートと２枚目の記録シートの場合と同じである。また後続の記録シートへの両面印刷が実行される場合でも同様である。
【００３６】
図６（Ｉ）（Ｊ）では、５００から画像形成装置本体の搬送速度で再給紙された２枚目の記録シート６０１は、シート反転部の駆動停止位置５０１まで搬送されて停止される。そして、この５０１以降は、給送部８の駆動のみで記録シート６０１が搬送される。
【００３７】
こうして図６（Ｋ）では、両面印刷が終了した２枚の記録シート６０１が機外へ排出される。また３枚目の記録シート６０２は、シート反転部１９により両面搬送ローラ対２２，２３へ搬送される。
【００３８】
図６（Ｌ）では、３枚目の記録シート６０３はＵターンローラ１７の手前（再給紙待機位置５００）で減速され、シート反転装置からの搬送速度と画像形成装置の搬送速度を等しくするように制御される。
【００３９】
５００から画像形成装置本体の搬送速度で再給紙された３枚目の記録シート６０３は、駆動停止位置５０１まで搬送されて、シート反転部１９の駆動が停止される。そしてこれ以降は、給送部８の駆動のみでシート搬送を行う（図６（Ｍ）（Ｎ））。そして図６（Ｏ）で、両面印刷が終了した３枚目の記録シート６０３が機外へ排出される。
【００４０】
図７（Ａ）〜（Ｄ）は、シート反転部１９に記録シートが残留した場合の状態を説明する図である。
【００４１】
図７（Ａ）は、記録シートがフラッパ１８と反転ローラ対２０，２１の間に残留している状態を示している。図７（Ｂ）は、記録シートが反転ローラ対２０，２１と再搬送ローラ対２２，２３の間に残留している状態を示している。また図７（Ｃ）は、記録シートが反転ローラ対２０，２１と再搬送ローラ対２２，２３の両方に挟持された状態で残留している状態を示している（。更に図７（Ｄ）は、記録シートが再搬送ローラ対２２，２３より下流で、かつ、Ｕターンローラ１７に到達していない状態で残留している状態を示している。
【００４２】
この(Ａ)〜（Ｄ）の状態は以下のように検知する。
（Ａ）：記録シートの後端をセンサ１０７で検知してからの経過時間をカウントして、所定時間経過するまでの時点である場合。
（Ｂ）：記録シートの搬送を一時停止して、フラッパ１８が元の位置に戻るタイミングである場合。
（Ｃ）：記録シートの反転動作が開始されてから所定時間経過するまでの時点である場合。（この所定時間とは記録シートが搬送ローラ対２２，２３に到達するまでの距離を搬送されると予測される時間であり予め設定されている。）
（Ｄ）：記録シートの反転動作が開始されてから所定時間経過するまでの時点である場合。（この所定時間とは記録シートが搬送ローラ対２２，２３を通過して、さらに斜送ローラ１６ａ，１６ｂ（図５）に到達するまでの距離を搬送されると予測される時間であり予め設定されている。）
尚、ここでは、それぞれの状態を記録シートがセンサを通過してからの搬送量（センサでシートを検知してからの所定時間で設定）、また、記録シートが反転動作を開始してからの搬送量で判断（反転してからの所定時間で設定）している。しかし、本発明はこれに限定されるものでなく、例えば、記録シートを検知するためのセンサを搬送路上に複数設けて、複数のセンサによって位置を検知及び判断する手法を用いても良い。
【００４３】
図８は、本実施の形態に係る画像形成装置の機能構成を説明するブロック図である。
【００４４】
図において、制御部１００は、この画像形成装置全体の動作を制御している。この制御部１００は、マイクロコンピュータなどのＣＰＵ１２０、ＣＰＵ１２０により実行されるプログラム記憶しているＲＯＭ１２１、ＣＰＵ１２０による制御処理時に各種データを記憶するワークエリアを提供するＲＡＭ１２２を有している。１０１は画像形成装置本体で記録シートを搬送駆動するための搬送モータ、１０４は、そのモータドライバである。１０２は両面モータで、モータドライバ１０５により回転駆動され、両面搬送路１５での記録シートの搬送駆動を行う。また反転モータ１０３は、モータドライバ１０６により回転駆動され、シート反転部１９における反転ローラ対２０，２１を回転駆動している。尚、両面モータ１０２と反転モータ１０３は本実施の形態では別々に設けているが、クラッチ等を用いて１つもモータで実現しても良いことはもちろんである。画像形成部１１２は、図１や図２に示すような構成を有するプリンタエンジン部である。
【００４５】
図９は、本発明の実施の形態１に係る画像形成装置において、シート反転部１９或は両面搬送路１５に記録シートが残留した場合に、その残留シートを排出する処理を説明するフローチャートである。この処理は、画像形成中にジャムやユーザによるドアオープン等が発生して画像形成装置が停止した場合に、シート反転部１９或は両面搬送路１５に残留している記録シートの状態を検知して両面モータ１０２や反転モータ１０３の駆動方向を決定するものである。尚、この処理を実行するプログラムはＲＯＭ１２１に記憶されており、ＣＰＵ１２０の制御の下に実行される。
【００４６】
この処理は何らかの理由により画像形成装置が停止した場合に開始され、まずステップＳ１で、残留している記録シートの状態を判定する。ここで図７（Ａ）或は図７（Ｂ）に示す状態であればステップＳ２に進み、両面モータ１０２や反転モータ１０３を正転させて、排紙部１３に残留している記録シートを排出する。
【００４７】
一方、記録シートが図７（Ｃ）或は図７（Ｄ）に示す状態で残留している場合は、両面モータ１０２や反転モータ１０３を逆転させて両面搬送路１５を搬送させる。そしてステップＳ６で、Ｕターンローラ１７を経てシート反転部の駆動停止位置５０１まで搬送するとステップＳ７に進み、モータ１０２，１０３の回転を停止する。そしてこれ以降は給送部８の搬送モータ１０１の回転駆動でシート搬送が可能な位置まで記録シートを搬送する。その後は、画像形成部本体の搬送モータ１０１を回転駆動し（ステップＳ８）、画像形成部の搬送路を経由して排紙部１３に排出する（ステップＳ５）。
【００４８】
以上説明したように本実施の形態１によれば、両面印刷用の搬送路を有する画像形成装置において、機内に残留する記録シートを機外に排出する際、その残留箇所に応じて記録シートの排出方法を変更することができるため、記録シートの残留状態から速やかに復帰できるという効果がある。
【００４９】
［実施の形態２］
次に本発明の実施の形態２について説明する。この実施の形態２では、前述の実施の形態１の画像形成装置構成に対して着脱可能な中間搬送部１４を有する画像形成装置において、中間搬送部１４の有無によりシート反転部に記録シートが残留したときの残留紙排出方法を変更する方法を提案する。尚、この実施の形態２に係る画像形成装置のハードウェア構成は、中間搬送部１４が設けられている以外は前述の実施の形態１に係る構成と同じであるため、その説明を省略する。
【００５０】
図１０は、本発明の実施の形態２に係る画像形成装置の排紙部の概略構成を示す図である。ここでは、画像形成装置に、着脱可能な中間搬送部１４と、第２の排紙部１５とが接続された状態での記録シート搬送路を示している。
【００５１】
給送部８から給送された記録シートは、搬送ベルト９ａを含む搬送ユニット９によって画像形成部に搬送される。この画像形成部では、各色のトナー像が順次に記録シートに転写されて多色画像が形成される。その後、その記録シートは定着ユニット１０で加熱定着され、排出ローラ対１１，１２を経由してシート反転部９、又は中間搬送部１４に搬送される。ここでシート反転部９へ搬送される場合のシート搬送は、前述の実施の形態１と同様であるため説明を省略する。ここでは記録シートは中間搬送部１４に搬送される。この中間搬送部１４内では、駆動ユニット（例えばモータ（不図示））により中間搬送部１４内のローラ対が回転駆動されて搬送され、最終的に第２の排紙部１５へ排出される。
【００５２】
この実施の形態２では、着脱可能な第２の排紙部１５への搬送路を確保するための中間搬送部１４を有する画像形成装置において、中間搬送部１４の有無によりシート反転部に記録シートが残留したときの残留紙排出方法を変更する方法を提案する。
【００５３】
図１１は、本実施の形態２に係る画像形成装置における残留シートの排出処理を説明するフローチャートである。この処理は、画像形成中にジャムやユーザによるドアオープン等が発生して画像形成装置が停止した場合に、シート反転部１９或は両面搬送路１５に残留している記録シートの状態を検知して両面モータ１０２や反転モータ１０３の駆動方向を決定するものである。尚、この処理を実行するプログラムはＲＯＭ１２１に記憶されており、ＣＰＵ１２０の制御の下に実行される。
【００５４】
この処理は何らかの理由により画像形成装置が停止した場合に開始され、まずステップＳ１１で、中間搬送部１４の有無を確認する。ここで中間搬送部１４がない場合の処理は、前述の実施の形態１に係る図９のフローチャートで示す処理と同じであるため、その説明を省略する。
【００５５】
ステップＳ１１で、中間搬送部１４が存在すると判定するとステップＳ１２に進み、図７（Ａ）〜（Ｄ）のいずれにおいても両面モータ１０２を逆転する必要がある。その理由は、両面モータ１０２を正転した場合は、記録シートが排紙部として構成されていない部分に排出されてしまうためである。従って、中間搬送部１４が接続されている場合に、図７（Ａ）〜（Ｄ）のいずれかの状態でシートが装置内に残留している場合はステップＳ１３に進み、両面モータ１０２を逆転させる。次にステップＳ１４で、Ｕターンローラ１７を経てシート反転部の駆動停止位置５０１まで搬送する。そして５０１に到達した以降はステップＳ１５で、給送部８による搬送駆動が可能な位置まで記録シートを搬送し、画像形成部を通過する通常の搬送路を経由し、排出ローラ対１１，１２を経由して排出する。こうして中間搬送部１４に搬送された記録シートは、中間搬送部の駆動ユニットにより中間搬送部１４内のローラ対による搬送され（ステップＳ１６）、最終的に第２の排紙部１５へ排出される（ステップＳ１７）。
【００５６】
このように本実施の形態２によれば、中間搬送部１４が装着されている場合には、画像形成部を通過する通常の搬送路を経由して記録シートを排出するため、残留している記録シートを効率良く排出できる。
【００５７】
［実施の形態３］
前述の実施の形態１，２では、画像形成装置がジャムやユーザのドアオープン等で停止した後にシート反転部１９に残留シートを検知して残留シートを排出するシーケンスを提案した。これに対して本実施の形態３では、両面印刷時の記録シートの表側への印刷中において、両面印刷が不可能な記録シートを検出した場合の記録シート排出方法を提案する。尚、両面印刷が不可能な記録シートとは、例えば、ＯＨＴや両面搬送路１５を通紙できない記録シート（例えばコシの強い厚紙等）、指定された記録シートサイズと異なる記録シート等が該当する。尚、この実施の形態３に係る画像形成装置のハードウェア構成は、前述の実施の形態１に係る構成と同じであるため、その説明を省略する。
【００５８】
図１２は、本発明の実施の形態３に係る画像形成装置において、両面印刷の実行中に両面印刷に適さない記録シート（以下、不適記録シート）を検出した場合に、その記録シートを機外に排出する処理を示すフローチャートである。尚、この処理を実行するプログラムはＲＯＭ１２１に記憶されており、ＣＰＵ１２０の制御の下に実行される。
【００５９】
不適記録シートの検出方法としては例えば以下の方法が挙げられる。
【００６０】
ＯＨＴか否か、及び、厚紙か否か、については、記録シートが画像形成部に到達する前に、記録シートの光透過性を検知するためのセンサを用いて検知可能である。図示してはいなが、例えばＬＥＤとフォトトランジスタとからなる光学センサ等を用いることができる。
【００６１】
尚、シートサイズについては、センサ１０９（図５）でシートの先端及び後端とを検知して搬送方向のサイズ（長さ）を検知することができる。
【００６２】
まずステップＳ２１で、記録シート種類の検知や記録シートサイズの検知により、その記録シートに対して両面印刷が可能であるか否かを判定する。この結果、両面印刷が可能であると判定した場合はステップＳ２２からステップＳ２３に進み、両面印刷処理を実行する。
【００６３】
一方、ステップＳ２２で、両面印刷が継続できないと判定した場合はステップＳ２４に進み、シート反転部１９に、その不適記録シートを引き込む。次にステップＳ２５で、前述の実施の形態２における中間搬送部１４の有無を判定し、その後の動作を決定する。
【００６４】
中間搬送部１４が接続されていない場合はステップＳ２６に進み、不適記録シートの搬送をシート反転部１９で停止させる。そしてステップＳ２７で、先行している両面印刷が可能な記録シートへのプリントが終了するのを待つ。こうして両面印刷が可能な記録シートへのプリントが終了するとステップＳ２８で両面モータ１０２を正転させる。そしてステップＳ２９で、その不適記録シートを排紙部１３に排出する。
【００６５】
一方、ステップＳ２５で、画像形成装置に中間搬送部１４が接続されていると判定した場合はステップＳ３０に進み、両面モータ１０２を逆転させて再給紙待機位置５００まで記録シートを搬送して記録シートを停止させる（ステップＳ３１）。そしてステップＳ３２で、先行している通常の記録シートへの印刷が終了するとステップＳ３３に進み、再度、両面モータ１０２を逆転させ、Ｕターンローラ１７を経て駆動停止位置５０１まで記録シートを搬送する。そして前述した図１１のステップＳ１４に進み、給送部８の駆動のみでシート搬送が可能な位置まで記録シートを搬送し、画像形成部を通過する搬送路を経由し、排出ローラ対１１，１２を経由して中間搬送部１４に搬送する。そしてステップＳ１６で、中間搬送部１４の駆動ユニットにより搬送され、最終的に第２の排紙部１５へ排出される。
【００６６】
以上説明したように本実施の形態３によれば、両面印刷に適さない記録シートが挿入されている場合に、その記録シートの排出を速やかに行うことができる。
【００６７】
以上説明したように本実施の形態によれば、シート反転装置及び外シート反転装置を用いて記録材の両面に画像形成を行う装置において、両面印刷を行う際に、シート反転装置に残留した記録シートを効率よく画像形成装置本体外へ排出できる。
【００６８】
また両面印刷が正常に行えない記録シートを検出した場合にも、その両面印刷を行えない記録シートを効率良く画像形成装置の外へ排出できる。
【００６９】
また本発明は、複数の機器（例えばホストコンピュータ、インタフェイス機器、リーダ、プリンタ等）から構成されるシステムに適用しても、一つの機器からなる装置（例えば、複写機、ファクシミリ装置等）に適用しても良い。
【００７０】
また本発明の目的は、前述した実施形態の機能を実現するソフトウエアのプログラムコードを記録した記憶媒体をシステム或は装置に装着し、その記憶媒体からインストールされたプログラムコードを読み出して実行することによっても達成される。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現される。またそのプログラムコードの指示に基づき、コンピュータ上で稼働しているオペレーティングシステム（ＯＳ）などが実際の処理の一部又は全部を行い、その処理によって前述した実施形態の機能が実現される場合も含まれる。
【００７１】
更に、記憶媒体から読み出されたプログラムコードが、コンピュータに挿入された機能拡張カードやコンピュータに接続された機能拡張ユニットに備わるメモリに書き込まれ、本体のＣＰＵが処理の一部又は全部を実行して本実施形態の機能が実現されても良い。
【００７２】
またプログラムを供給するための記憶媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード等がある。更に、ＲＯＭ、ＤＶＤ（ＤＶＤ−ＲＯＭ，ＤＶＤ−Ｒ）も含まれる。
【００７３】
またクライアントコンピュータのブラウザを用いてインターネットのホームページに接続し、該ホームページから本発明のコンピュータプログラムそのもの、或は圧縮され自動インストール機能を含むファイルを記憶媒体にダウンロードしても良い。また本発明のプログラムを構成するプログラムコードを複数のファイルに分割し、それぞれのファイルを異なるホームページからダウンロードすることによっても実現可能である。つまり本発明の機能処理をコンピュータで実現するためのプログラムファイルを複数のユーザに対してダウンロードさせるＷＷＷサーバも本発明のクレームに含まれるものである。
【００７４】
以上、本発明を実施の形態に基づき具体的に説明したが、本発明は前述した実施の形態に限定されるものではなく、その要旨を逸脱しない範囲で種々変更することが可能である。
【図面の簡単な説明】
【００７５】
【図１】本発明の実施の形態に係る画像形成装置の全体構成図である。
【図２】本実施の形態に係るシート反転部を装着した画像形成装置の全体構成図である。
【図３】本実施の形態に係るシート反転装置のフラッパの状態を示す図である。
【図４】本実施の形態に係るシート反転装置のフラッパの状態を示す図である。
【図５】本実施の形態に係るシート搬送路の概略図である。
【図６】実施の形態に係る画像形成装置における交互給紙両面のときの両面プリントシーケンスを説明する図である。
【図７】本実施の形態に係るシート反転部に記録シートが残留した場合の状態を説明する図である。
【図８】本実施の形態に係る画像形成装置の機能構成を説明するブロック図である。
【図９】本発明の実施の形態１に係る画像形成装置において、残留シートを排出する処理を説明するフローチャートである。
【図１０】本発明の実施の形態２に係る画像形成装置の排紙部の概略構成を示す図である。
【図１１】本実施の形態２に係る画像形成装置における残留シートの排出処理を説明するフローチャートである。
【図１２】本発明の実施の形態３に係る画像形成装置において、両面印刷の実行中に両面印刷に適さない不適記録シートを検出した場合における処理を示すフローチャートである。
【図１】
2007093930.tif 000003
【図２】
2007093930.tif 000004
【図３】
2007093930.tif 000005
【図４】
2007093930.tif 000006
【図５】
2007093930.tif 000007
【図６】
2007093930.tif 000008
【図７】
2007093930.tif 000009
【図８】
2007093930.tif 000010
【図９】
2007093930.tif 000011
【図１０】
2007093930.tif 000012
【図１１】
2007093930.tif 000013
【図１２】
2007093930.tif 000014